(57)【要約】【課題】保護シート等を剥がし易く、医療用デバイスを衛生的に取り付けることが可能なシート構造体を提供する。【解決手段】シート構造体１は、台紙３１と、該台紙上に貼られた、両面粘着シート２５と、該両面粘着シートの上面に貼られた保護シート１１とを備える。両面粘着シート２５は、その周縁の一部から延出したタブ２３ａ、２３ｂを有し、保護シート１１は、両面粘着シートのタブ２３ａ、２３ｂより大きく形成され、同タブの全体を覆うタブ１３ａ、１３ｂを有する。保護シート１１が両面粘着シート２５上に貼られた状態で、保護シートのタブ１３ａ、１３ｂが前記両面粘着シートのタブ２３ａ、２３ｂよりも外側に延出し、かつ、台紙の延出部３７、３７が保護シートのタブ１３ａ、１３ｂより外側に延出している。【選択図】図２
2010063707.tif 000002
【特許請求の範囲】
【請求項１】
台紙と、
該台紙上に貼られた、患者の皮膚表面に医療用デバイスを取り付けるための両面粘着シートと、
該両面粘着シートの上面に貼られた保護シートと、
を備えるシート構造体であって、
前記両面粘着シートは、その周縁の一部から延出したタブを有し、
前記保護シートは、前記両面粘着シートのタブより大きく形成され、同タブの全体を覆うタブを有し、
前記保護シートが前記両面粘着シート上に貼られた状態で、前記保護シートのタブが前記両面粘着シートのタブよりも外側に延出し、かつ、前記台紙の一部が前記保護シートのタブより外側に延出しているシート構造体。
【請求項２】
前記両面粘着シートのタブの形状、
前記保護シートのタブの形状、及び、
前記台紙の延出部分の形状がいずれも半円状である、請求項１に記載のシート構造体。
【請求項３】
前記粘着両面シートのタブが、該シートの左右両側に１つずつ形成されている、請求項１又は２に記載のシート構造体。
【請求項４】
前記台紙が、前記両面粘着シートの中心部を基準として２つに分割されており、
一方の台紙に、他方の台紙に向かって延び出した突出部が形成され、
他方の台紙に、該突出部の形状と相補的な形状に切り欠かれた凹部が形成されている、
請求項１〜３のいずれか１項に記載のシート構造体。
【請求項５】
前記両面粘着シートは横長であって、各長辺部分が、シート中心に向かって凹となるように緩やかにカーブしている、請求項１〜４のいずれか１項に記載のシート構造体。
【請求項６】
前記両面粘着シートには、前記医療用デバイスの貼付け位置を示す表示が付されており、該表示を視認できるように前記保護シートが透明である、請求項１〜５のいずれか１項に記載のシート構造体。
【発明の詳細な説明】
【技術分野】
【０００１】
本発明は、患者の皮膚表面に医療用デバイスを取り付けるための両面粘着シートに保護シート等が貼られたシート構造体に関し、特には、保護シート等を剥がし易く、医療用デバイスを衛生的に取り付けることが可能なシート構造体に関する。
【背景技術】
【０００２】
現在、医療用の画像診断装置として、ＣＴ(Computed Tomography)スキャナ、ＭＲＩ(Magnetic Resonance Imaging)装置、ＰＥＴ(Positron
Emission Tomography)装置等が知られている。このような撮像装置を使用する際、患者に造影剤や生理食塩水など（以下、これらを単に「薬液」とも言う）を注入することがある。また、この注入を自動的に実行する薬液注入装置も種々実用化されている。
【０００３】
ところで、薬液注入装置で薬液を注入する際、注入針が血管から外れて造影剤が皮下で漏出する可能性がある（血管外漏出とも呼ばれる）。
そこで、本出願人は、例えば特許文献１において、造影剤の血管外漏出を検出するセンサユニットを提案している。このセンサユニットは、小型の箱状に構成されており、例えば、患者の腕の注入針が刺された箇所を覆うように取り付けられて、薬液の漏出を検出する。センサユニットは、本体との間で無線通信を行うことができるように構成されており、検出結果のデータをワイヤレスで本体へと送る。本体は、このセンサユニットからの検出結果に基づいて薬液の漏出の有無を判断することができる。
【０００４】
上記のようなセンサユニットを患者の皮膚表面に取り付けるために両面粘着シートが用いられる。この両面粘着シートは、上下両面に張られた保護シートを剥がした後、使用される。
【特許文献１】国際公開第２００７/０４６４６０号
【発明の開示】
【発明が解決しようとする課題】
【０００５】
特許文献１の構成においても、保護シートを剥がし易くするための工夫がなされており実用上十分であったが、更なる改善の余地は残されている。そこで、本発明の目的は、保護シート等を剥がし易く、医療用デバイスを衛生的に取り付けることが可能なシート構造体を提供することにある。
【課題を解決するための手段】
【０００６】
上記課題を解決する本発明のシート構造体は、
台紙と、
該台紙上に貼られた、患者の皮膚表面に医療用デバイスを取り付けるための両面粘着シートと、
該両面粘着シートの上面に貼られた保護シートと、
を備えるシート構造体であって、
前記両面粘着シートは、その周縁の一部から延出したタブを有し、
前記保護シートは、前記両面粘着シートのタブより大きく形成され同タブの全体を覆うタブを有し、
前記保護シートが前記両面粘着シート上に貼られた状態で、
前記保護シートのタブが前記両面粘着シートのタブよりも外側に延出し、かつ、前記台紙の一部が前記保護シートのタブより外側に延出している。
【０００７】
このように構成された両面粘着シートは、例えば、先ず台紙を剥がし、次いで保護シートを剥がして利用に供することができる。本発明のシート構造体によれば、両面粘着シートのタブ近傍において、該タブよりも保護フィルムのタブが外側に延出し、更に、保護フィルムのタブよりも台紙の一部が延出している。すなわち、台紙の一部が最も外側に延出しているので、台紙を剥がす際、この延出部分を摘んで容易に剥がすことができる。台紙を剥がした後は、両面粘着シートのタブよりも保護フィルムのタブが外側に延出した状態となる。したがって、保護シートを剥がす際、そのタブを摘んで容易に剥がすことができる。本実施形態の構成によれば、上記の通り、外側に延出したタブ等を摘んでシートを剥がすことが可能であり、両面粘着シートの粘着面に触れる必要がないため、衛生的に貼り付けることができる。
【０００８】
本発明のシート構造体は、前記両面粘着シートのタブの形状、前記保護シートのタブの形状、及び、前記台紙の延出部分の形状がいずれも半円状であってもよい。また、前記粘着両面シートのタブが、該シートの左右両側に１つずつ形成されていてもよい。
【０００９】
本発明のシート構造体は、具体的には、
前記台紙が、前記両面粘着シートの中心部を基準として２つに分割されており、
一方の台紙に、他方の台紙に向かって延び出した突出部が形成され、
他方の台紙に、該突出部の形状と相補的な形状に切り欠かれた凹部が形成されている。
【００１０】
前記両面粘着シートは横長であって、各長辺部分が、シート中心に向かって凹となるように緩やかにカーブしていてもよい。この場合、腕を曲げるなどしても、シートの縁がめくれにくく、シートが剥がれるのを防止できる。
【００１１】
前記両面粘着シートには、前記医療用デバイスの貼付け位置を示す表示が付されていてもよい。この場合、該表示を視認できるように前記保護シートが透明であることが好ましい。
【発明の効果】
【００１２】
上述したように、本発明によれば、保護シート等を剥がし易く、医療用デバイスを衛生的に取り付けることが可能なシート構造体を提供することができる。
【発明を実施するための最良の形態】
【００１３】
以下、図面を参照して本発明の実施の一形態を説明する。図１は、両面粘着シートの使用例を示す斜視図である。
【００１４】
図１に示すように、この両面粘着シート２５は、一例として、患者の腕にセンサユニット４０１を固定するのに利用される。この例では、患者の腕の血管（不図示）に注入針２３０の先端が挿入されており、挿入部分及び針２３０の一部を覆うように、両面粘着シート２５が上から貼り付けられている。
注入針２３０は、薬液チューブ２３１を介してシリンジ（不図示）に繋がっており、これにより、シリンジ内の薬液が患者へと供給される。
【００１５】
センサユニット４０１は、特許文献１に記載された公知の構成であるので詳細な説明は省略するが、一例として、箱状のハウジング内に収容された、発光ダイオード及びフォトトランジスタ（不図示）を備えている。仮に、針２３０の先端が血管から抜けて造影剤が皮下に漏出した場合、発光ダイオードから出射され腕の内部で反射して返ってくる光の強度が大きく変化する。この変化をフォトトランジスタで検出し、その結果に基づいて反射光の強度が所定の閾値を下回っているかどうかを判別することで、薬液の漏出の有無を知ることができる。
【００１６】
次に、両面粘着シート２５に保護シート等が貼られたシート構造体１について、図２〜図６を参照して説明する。図２は、本実施形態のシート構造体の構成を示す斜視図である。図３は、図２のシート構造体の平面図である。
【００１７】
図２に示すように、本実施形態のシート構造体１は、２つに分割された台紙（３１Ａ、３１Ｂ）３１と、その台紙３１上に貼られて保持される両面粘着シート２５と、該粘着シート２５の上面に貼られる保護シート１１と、を備えている。
【００１８】
両面粘着シート２５は、図４にも示すように、やや横長な略長方形である。その左右両側には、半円状のタブ２３ａ、２３ｂが形成されている。
図示は省略するが、両面粘着シート２５は、可撓性を有する透明な樹脂製のシート材の両面に粘着層（透明）を形成したものである。粘着層は、タブ２３ａ、２３ｂの部分を除く、シート材の上下全面に形成されている（図４の網掛け部参照）。
【００１９】
図１に示すように、両面粘着シート２５は、タブ２３ａ、２３ｂの延出方向と腕の周方向とが一致するような向きで皮膚表面に貼り付けられる。図４に示すように、この両面粘着シート２５の各長辺部分２４ａ、２４ｂは、シート中心に向かって凹となるように緩やかにカーブしている。このようなカーブが付けられている場合、シート２５が貼り付けられた状態（図１参照）で腕を曲げるなどしても、シートの縁がめくれにくく、シートが剥がれるのを防止できる。
【００２０】
台紙３１は、図２、図５に示すように、全体として横長に形成されており、両面粘着シート２５の下面が貼り付けられる略長方形の支持領域３３と、その両側の半円状の延出部３７、３７とに分けられる。
台紙３１は、使用時に剥がし易いように、真ん中から半分に（前記両面粘着シートの中心部を基準として半分に）分割されている。一方の台紙３１Ｂには、他方の台紙３１Ａに向かって延び出した突出部３８が形成されており、他方の台紙３１Ａには、該延出部３８の形状と相補的な形状に切り欠かれた凹部３９が形成されている。突出部３８は半円状であり、その中心は台紙３１の中心に位置している。
【００２１】
なお、台紙の材質は特に限定されるものではなく、コーティング紙であってもよいし、樹脂製のシートであってもよい。また、台紙の色も特に限定されるものではなく、透明であってもよいし、不透明であってもよい。
【００２２】
保護シート１１は、図６に示すように、両面粘着シート２５とほぼ同形状であり（タブの大きさのみが異なる）、両面粘着シート２５のタブ２３ａ、２３ｂよりも一回り大きい半円状のタブ１３ａ、１３ｂを有している。保護シート１１は一例として透明である。
【００２３】
台紙３１上に両面粘着シート２５が保持され、その両面粘着シート２５上に保護フィルム１１が貼られた状態では、図３に示すように、両面粘着シート２５のタブ２３ａと、保護シート１１のタブ１３ａと、台紙の延出部分３７と、が同心円の配置となる（反対側のタブ２３ｂ等についても同様）。保護シート１１のタブ１３ａが前記両面粘着シートのタブ２３ａよりも外側に延出すると共に、保護シート１１のタブ１３ａよりも台紙の延出部３７が外側に張り出している。
【００２４】
なお、図３から分かるように、両面粘着シート２５の上下の粘着面は保護シート１１及び台紙３１によって完全に覆われている。また、両面粘着シート２５のタブ２３ａ、２３ｂがそれぞれ台紙の延出部３７、３７及び保護シート１１のタブ１３ａ、１３ｂによって上下から挟まれている。延出部３７、３７及びシート１１のタブ１３ａ、１３ｂは、両面粘着シート２５のタブ２３ａ、２３ｂよりも大きいため、これらのタブ２３ａ、２３ｂは外部に露出しない。
【００２５】
次に、以上のように構成されたシート構造体の使用方法について説明する。
なお、以下の手順は一例であり、保護シート及び台紙を剥がす順番や、剥がし始める位置については特に限定されるものではない。
【００２６】
まず、図３に示すようなシート構造体１を用意する。患者の腕の血管には、図１に示すように既に注入針２３０先端が刺し込まれている。
【００２７】
次いで、シート構造体１の両端を両手で摘み、台紙３１を剥がすために、シート中央部が谷となるように、シート全体をＶ字に折り曲げる。一例として、全体がおよそ９０°折り曲げられられた時点で、台紙３１Ｂの突出部３８が両面粘着シート２５の下面から剥がれる。剥がれた延出部３８は、台紙３１Ｂと平行に延び出すこととなるので、この延出部３８を摘んで台紙３１Ｂを剥がすことができる。このような構成によれば、シート２５の下面に触れることなく台紙を剥がすことができるので衛生的である。
【００２８】
次いで、残りの台紙３１Ａを剥がす。台紙３１Ａの剥がし方は特に限定されるものではないが、延出部３７を摘んで外側から剥がしてもよい。図３に示したように、本実施形態では、保護フィルムのタブ１３ａよりも台紙の延出部３７が外側に張り出しているので、延出部３７を摘み易い。
【００２９】
上記工程により２枚の台紙３１Ａ、３１Ｂを剥がしたら、保護フィルム１１が付いたままの両面粘着シート２５を、図１に示すように、患者の腕に刺された注入針２３０を覆うように上から貼り付ける。これにより、針２３０が患者の腕に固定される。なお、一方の台紙を剥がした状態で、又は、各台紙３１Ａ、３１Ｂをある程度剥がした状態で両面粘着シート２５を患者の腕に貼り、その後、台紙を完全に剥がしてもよい。
なお、両面粘着シート２５のタブ２３ａ、２３ｂには粘着性が付与されていないため、タブは皮膚に貼り付くことなく、先端側が皮膚表面からわずかに浮いた状態となる。
【００３０】
次いで、保護フィルム１１を剥がす。ここで、保護フィルム１１のタブ１３ａ、１３ｂは、両面粘着シート２５のタブ２３ａ、２３ｂよりも大きく形成されているので、タブ１３ａ、１３ｂを摘み易く、よって保護シート１１の剥離も容易に行うことができる。保護フィルム１１を剥がすことで、両面粘着シート２５の上面が露出する。
【００３１】
次いで、露出したその粘着面にセンサユニット４０１を上から貼り付ける。これによりセンサユニット４０１が、注入針２３０の挿入部に対して位置決め固定され、造影剤の漏出を検出できる状態となる。
【００３２】
以上説明したように、本実施形態の構成によれば、台紙３１を剥がし易く、かつ、保護フィルム１１も簡単に剥がすことができる。台紙３１を剥がし易い理由は、台紙の延出部３７が他のシートのタブよりも張り出していることによる。他の理由は、台紙３１が２つに分割されており、シート１全体をある程度折り曲げると、台紙３１Ａ、３１Ｂの境界付近で一方又は両方の台紙の端部が両面粘着シート２５下面から部分的に剥がれ、そこを摘んで台紙３１Ａ、３１Ｂを剥がすことができることによる。
【００３３】
造影剤注入の終了後、両面粘着シート２５を患者の腕から剥がす場合、本実施形態によれば同シート２５のタブ２３ａ、２３ｂを摘んで剥がすことができるので容易である。特に、図１のように両面粘着シート２５が貼り付けられた状態において、タブ２３ａ、２３ｂの先端が皮膚表面からやや浮いているので、タブ２３ａ、２３ｂを摘み易い。タブ２３ａ、２３ｂが両側に形成されているので、左右どちらからでもシート２５を剥がすことができる。
【００３４】
本発明は上記に限定されるものではなく、種々変更可能である。
例えば、台紙３１は分割されていない１枚のシートからなるものであってもよい。また、両面粘着シート２５の長辺部分にカーブを設けることなく、直線状としてもよい。また、両面粘着シート２５のタブの数も２つに限定されるものではなく、１つ又は３つ以上であってもよい。タブの輪郭形状も、半円状に限定されるものではなく、矩形又は多角形でもよい。
【００３５】
図７に示すように、両面粘着シート１２５に、ユニット４０１（図１参照）の貼付け位置などを示す表示が付されていてもよい。この例では、シート１２５の中央付近にリング状のインジケータ１２８が表示されており、その外周の４箇所に縦方向及び横方向を示すラインインジケータ１２８ａ〜１２８ｄが表示されている。
また、シート１２５の左上隅には、心臓を表したマーク１２９ａが付されている。これは、このマークが付された側を心臓に近い側として該シート１２５を貼り付けるべきことを意味している。同様に、シート１２５の右下隅には、手を表したマーク１２９ｂが付されている。
【００３６】
このような構成によれば、リング状のインジケータ１２８やラインインジケータ１２８ａ〜１２８ｄを利用して、注入針２３０（図１参照）との位置合わせをすることができる。したがって、両面粘着シート１２５を正確な位置に貼ることができる。保護シート１１が透明の場合、保護シート１１が付いた状態の両面粘着シート１２５を貼る際に、保護シート１１を介してこれらの表示１２８等を目視できるので、シート１２５の位置合わせを良好に行うことができる。
【図面の簡単な説明】
【００３７】
【図１】両面粘着シートの使用例を示す斜視図である。
【図２】本実施形態のシート構造体の構成を示す斜視図である。
【図３】図２のシート構造体の平面図である。
【図４】両面粘着シートの平面図である。
【図５】台紙の平面図である。
【図６】保護シートの平面図である。
【図７】両面粘着シート付された表示の例を示す図である。
【符号の説明】
【００３８】
１  シート構造体
１１  保護シート
１３ａ、１３ｂ  タブ
２５  両面粘着シート
２３ａ、２３ｂ  タブ
２４ａ、２４ｂ  長辺部分
３１  台紙
３３  支持領域
３７  延出部
３８  突出部
３９  凹部
２３０  注入針
４０１  センサユニット
【図１】
2010063707.tif 000003
【図２】
2010063707.tif 000004
【図３】
2010063707.tif 000005
【図４】
2010063707.tif 000006
【図５】
2010063707.tif 000007
【図６】
2010063707.tif 000008
【図７】
2010063707.tif 000009